(57)【要約】      （修正有）【課題】従来の載置型渦巻線香保持台は、渦巻線香を載置する形態であるために、地震や、不注意により線香保持台が振動や衝撃を受けた際に、渦巻線香が載置型渦巻線香保持台から、外れやすく、火災や火傷の原因となったりしていた。このような不具合を鑑み、火災や火傷の原因を軽減せしめ、持ち運びが簡便に行える載置型渦巻線香保持台を提供する。【解決手段】渦巻線香が載置された際の渦巻線香中心部上端より、水平面上の上部において、水平方向の外形が上部と下部とで異なり、上部外形寸法が下部外形寸法より大きい形状の抜け防止部１−Ａを設けた。【選択図】図１
2014000344.tif 000002
【特許請求の範囲】
【請求項１】
渦巻線香が載置された際の渦巻線香中心部上端より、水平面上の上部において、水平方向の外形が上部と下部とで異なり、上部外形寸法が下部外形寸法より大きい形状の抜け防止部を用いたことを特徴とする載置型渦巻線香保持台
【請求項２】
渦巻線香を載置し、支持する載置部に、不燃性部材を用いたことを特徴とする請求項１に記載の載置型渦巻線香保持台
【請求項３】
請求項２に記載の載置部の形状が通空用の通空用空間を有していることを特徴とした請求項２に記載の載置型渦巻線香保持台                          
【発明の詳細な説明】
【技術分野】
【０００１】
本発明は載置型渦巻線香保持台に関するものである。
【背景技術】
【０００２】
従来の渦巻線香は、平板渦巻状に成形され、その中心部に糸を結びつけて、吊り下げて、使用するものであった。そのため、糸を結び付ける工程や、吊り下げ器具等が必要であった。一部には、渦巻線香の一部を嵌合や挟着して、支持して保持して、使用する方法などがあった。さらに、簡便な装着方法や燃え残りの改善などにおいて、よりよい方法が、求められていた。
【０００３】
この点を鑑みて、考案されたのが、糸の使用も不要で、渦巻線香の一部を嵌合や挟着で支持固定することなく、渦巻線香を単に置くだけで、簡便に載置する手法である。具体的には、特許４２７１４２７号、特許３７４０６０８号などにみられる（渦巻線香を簡便に載置して、保持する）載置型線香保持台を利用し、載置して渦巻線香を燃焼させる方法である。また、特許３２５２１２８号のように渦巻線香の外周で支持する載置型渦巻線香保持台も考案されている。このように、載置型渦巻線香保持台の考案によって、渦巻線香を保持する渦巻線香保持台は合理的な様態に改善されてきた。
【先行技術文献】
【特許文献】
【０００４】
【特許文献１】特許４２７１４２７号
【特許文献２】特許３７４０６０８号
【特許文献３】特許３２５２１２８号
【発明の概要】
【発明が解決しようとする課題】
【０００５】
しかしながら、単に置いて、載置する形態であるために、地震や、不注意により線香保持台が振動や衝撃を受けた際に、渦巻線香が載置型渦巻線香保持台から、外れやすく、火災や火傷の原因となったりしていた。  
【０００６】
また、従来の載置型渦巻線香保持台を移動する際には、載置型渦巻線香保持台の底部を手などで支えて、持ち運ぶ必要があった。そのため、渦巻線香が燃焼中に載置型渦巻線香保持台の移動を必要とする場合など、渦巻線香が外れたりしないように、持ち運びに特段の注意を必要とした。  
【０００７】
このような不具合を鑑み、火災や火傷の原因を軽減せしめ、渦巻線香が載置されていても、特段の注意をせずとも持ち運びが簡便に行える載置型渦巻線香保持台が求められていた。
【課題を解決するための手段】
【０００８】
載置型渦巻線香保持台の上面方向から視て概略中央部に立設した抜け防止部を用いた載置型渦巻線香保持台とした。  
【０００９】
抜け防止部の具体的様態として、渦巻線香が載置された際の渦巻線香中心部上端より、水平面上の上部において、水平方向の外形が上部と下部とで異なり、上部外形寸法が下部外形寸法より大きい形状を有しているものとした。
【００１０】
つまりは、外部環境の衝撃によって、渦巻線香が跳び抜けようとする際に、上記様態の抜け防止部があることで、下部外形寸法よりも大きな上部外形寸法部分が障害となって、渦巻線香が跳び抜けを防止する作用を生じる。このように上部と下部との外形寸法が異なることで、抜け防止のトラップとなって、抜け出さず、留まりやすくなるように工夫された抜け防止部を用いた載置型渦巻線香保持台とした。
【発明の効果】
【００１１】
地震や台風などの災害時にあっても、載置型渦巻線香保持台より、渦巻線香が跳び抜けして、抜け落ちることが格段に防止されて、火事など、甚大な二次災害の防止に役立つ。また、載置型渦巻線香保持台の移動時においても、抜け落ちるといったことがないため、安心して、移動させることができる。  
【００１２】
さらには、本発明の抜け防止のための抜け防止部の形状が、指などで把持するのに適した摘みとしての利用が可能であるため、（抜け防止部を摘みとして把持し、）受け皿と一体として、簡便に移動させることもできる。載置型渦巻線香保持台のほぼ中央に位置する上端で、把持することで、バランスよく、吊り下げるようにして把持できるために、余分な力を必要とせずに、移動できる。また、受け皿に溜まった灰などを処理するとき、（抜け防止部の部分を）指などで把持して、載置型渦巻線香保持台全体を傾倒させることで簡便に行える。上記抜け防止部の上部外形寸法が下部外形寸法より大きいことによって、指で掴みやすいと同時に滑りにくいといった作用効果を生じせしめた結果によるものである。
【発明を実施するための形態】
【００１３】
本発明の具体的な形態の実施例を図面に基づいて説明する。図１の図面は中央部の縦断面図による説明図である。図面に示す載置型渦巻線香保持台は、縦軸方向を軸とした回転体である。断面における斜線は見易さを考慮して省略した。渦巻線香は断面が丸で表現されているが、一本の渦を巻いた線香である。本発明の形態の多くは渦巻線香（２）が自重により釣鐘状で使用される。説明図においては、使用状態の渦巻線香を表現するために概略釣鐘形状部を一点鎖線で表している。
【実施例】
【００１４】
図１は縦中央断面図で表してある。この形態は、回転体で表される受け皿（１−５）の上面方向からみて中央部に渦巻線香（２）を載置するための立設した支柱（１−４）が設けてある。その上部に載置部として、載置用不燃性部材（１−３）が装着されており、渦巻線香を載置し、保持する。加えて、渦巻線香（２）が載置された際の渦巻線香中心部上端より、水平面上の上部において、水平方向の外形が上部（１−Ａ）と下部（１−Ｂ）とで異なり、上部（１−Ａ）外形寸法が下部（１−Ｂ）外形寸法より大きい抜け防止部(１−２１)を棒状の部材（１−２）を用いて実現した。もちろん棒状の部材（１−２）を用いずとも、水平方向の外形が上部と下部とで異なり、上部外形寸法が下部外形寸法より大きい抜け防止部を用いてあればよい。  
【００１５】
この実施例において、受け皿（１−５）、支柱（１−４）及び棒状部材（１−２）は互いに螺条結合で、結合され構成されている。載置用不燃性部材（１−３）は支柱（１−４）の上端に棒状部材（１−２）に貫かれて載置されている。
【００１６】
その受け皿（１−５）や支柱（１−４）に利用する材料に関しては、特に金属、陶器などの可燃性でない材料が好ましい。また、載置部に載置用不燃性部材（１−３）を用いるのが好ましく適切である。載置部の載置用不燃性部材（１−３）は図１のような回転体で構成される形態でもよいが、燃焼性の低い燃えにくい渦巻線香に対しては、通空用のスリットなどの通空用空間を有し、燃焼に必要な空気を潤沢に供給する形状のものが、好ましい。また、不燃性部材（１−３）の素材としては断熱性を有する不燃性繊維、珪藻土のような断熱性素材を用いることが好ましい。
【００１７】
抜け防止部（１−２１）については図１のような単純な回転体で表される形状でもよいし、蓮の花や、仏像などの意匠を施したものであってもよい。要は、立設した、水平方向の外形が上部と下部とで異なり、上部外形寸法が下部外形寸法より大きい形状を有し、抜け防止部としての機能をはたせばよい。このような様々な意匠を施した抜け防止部をもちいることで、趣のある載置型渦巻線香保持台を提供できる。例えば、宗教的行事に使う際において、仏事にゆかりのある意匠を施すことで、儀式的雰囲気を高める効果が得られるので、好ましい。  
【００１８】
図２は本発明の理解を助けるためのもので、渦巻線香（２）を上面からみた説明図である。中央部の概略円形の空間部（２−１）を上記抜け防止部（１−２１）を通して渦巻線香（２）を載置型渦巻線香保持台に載置する。  
【００１９】
図２の概略円形の空間部（２−１）の形状によって、抜け防止部の上部外形寸法の好ましい最大外形寸法が決まる。渦巻線香を載置することから、渦巻線香の空間部（２−１）を抜け防止部が、通り抜ける構造でなければならない。結果として、スムーズに載置できるように渦巻線香の概略円形の空間部（２―１）の内径寸法より、抜け防止部の上部最大外形寸法が、少し小さい（比率にして、80％〜99％）程度が、抜け防止効果も大きく、好ましい。現実には、抜け防止部の上部最大外形寸法が、前記内径寸法と比較して、同程度の大きさや逆に少し大きくても、渦巻線香が撓むことで、上記の通り抜ける構造の条件は満たすが、前述のとおり、（抜け防止部の上部最大外形寸法が）少し小さいほうが好ましい。  
【００２０】
載置部の大きさは図１の図面のように渦巻線香の内側の２〜３条ほどを載置してもよいし、より大きく面積を使用した載置形態をとるような形状の大きな載置部であってもよい。もちろん、釣鐘状で渦巻線香を支持して保持するなどの載置部であってもよく、本発明の載置型渦巻線香保持台として、さまざまな、載置手段を利用してもよい。
【図面の簡単な説明】
【００２１】
【図１】本発明の実施形態を示す説明縦中央断面図である。
【図２】渦巻線香の上面からみた参考平面図である。
【符号の説明】
【００２２】
１          載置型渦巻線香保持台１−２      棒状の部材１−２１    抜け防止部１−Ａ      上部１−Ｂ      下部１−３      不燃性部材１−４      支柱１−５      受け皿２          渦巻線香２−１      空間部   
【図１】
2014000344.tif 000003
【図２】
2014000344.tif 000004